(57)【要約】【課題】  筐体の一部又は全体が湾曲又は屈曲した電子機器に搭載することで比較的簡便なかつ低コストな構成で画像表示パネルと操作キーとを両方照明でき、薄型化及び軽量化が可能な導光板及び電子機器を提供すること。【解決手段】  液晶表示パネル１が設けられたパネル側筐体部２と操作キー３を設けたキー側筐体部４とが筐体連結部５を介して一体とされ、これらの少なくとも一部が湾曲若しくは屈曲している又は段差部を有する電子機器に用いる導光板６であって、導光した光を光路変換して主面から面状に出射し、液晶表示パネル１を照明するパネル用導光部６ａと、導光した光を光路変換して主面から面状に出射し、操作キー３を照明するキー用導光部６ｂと、パネル用導光部６ａとキー用導光部６ｂとを連結して互いの間で光を導光可能で筐体連結部５に配される連結導光部６ｃと、を有し、全体がフィルム状とされている。【選択図】  図１
2009059546.tif 000002
【特許請求の範囲】
【請求項１】
画像表示パネルが設けられたパネル側筐体部と操作キーを設けたキー側筐体部とが筐体連結部を介して一体とされ、これらの少なくとも一部が湾曲若しくは屈曲している又は段差部を有する電子機器に用いる導光板であって、
導光した光を光路変換して主面から面状に出射し、前記画像表示パネルを照明するパネル用導光部と、
導光した光を光路変換して主面から面状に出射し、前記操作キーを照明するキー用導光部と、
前記パネル用導光部と前記キー用導光部とを連結して互いの間で光を導光可能で前記筐体連結部に配される連結導光部と、を有し、
全体がフィルム状とされていることを特徴とする導光板。
【請求項２】
画像表示パネルが設けられたパネル側筐体部と操作キーを設けたキー側筐体部とが筐体連結部を介して一体とされ、これらの少なくとも一部が湾曲若しくは屈曲している又は段差部を有する電子機器であって、
光源と、
該光源からの光を入射させて導光する請求項１に記載の導光板と、を備えていることを特徴とする電子機器。
【請求項３】
請求項２に記載の電子機器において、
前記連結導光部の両面のうち少なくとも一面に、連結部用反射シートが配設されていることを特徴とする電子機器。
【請求項４】
請求項２又は３に記載の電子機器において、
前記光源が、前記パネル用導光部側に配置されていることを特徴とする電子機器。
【請求項５】
請求項２から４のいずれか一項に記載の電子機器において、
前記画像表示パネルが、液晶表示パネルであることを特徴とする電子機器。
【発明の詳細な説明】
【技術分野】
【０００１】
本発明は、湾曲した携帯電話機などの液晶表示パネル及び操作キーを照明する面状光源に用いられる導光板及びこれを備えた電子機器に関する。
【背景技術】
【０００２】
携帯電話機、ＰＤＡ、モバイルタイプＰＣ（パーソナルコンピュータ）、ＡＴＭ（現金自動預け払い機）等の電子機器に用いられるディスプレイには、画像表示のための液晶表示装置が広く採用されている。この液晶表示装置には、液晶表示パネルの裏面側から光を照射して表示画面の輝度を高めるバックライトユニットが用いられている。このバックライトユニットには、蛍光管やＬＥＤ等の光源からの光を導光して主面全体から液晶表示パネルに向けて出射させる導光板が用いられている。また、これら携帯電話機等の電子機器には、操作キーが用いられており、暗所での操作をし易くするために、例えば操作キーを裏面側から光を照射して照明する操作キー用の光源が採用されている。
【０００３】
このように携帯電話機等では、液晶表示パネルの照明用と操作キーの照明用との両方に光源や照明ユニットを個別に搭載しなければならず、部品点数が多くなり、製造コストが増大したり、実装スペースの確保から小型化や薄型化を図り難い等の点がある。そこで、従来、例えば特許文献１には、液晶パネルを照明する第１の照明部分と操作キーを照明する第２の照明部分とからなる一つの薄板状の導光板を用いた電子機器の照明装置が提案されている。また、特許文献２には、液晶パネルに対する光源からの光の一部を液晶パネル用導光板の光放出部から外部に放出し、ヒンジ部に設けた受光部で光放出部からの光を受光すると共に、さらにキーボード側ケースに設けた導光板で受光した光を進行させる折り畳み型の情報端末が提案されている。
【０００４】
【特許文献１】特開２００１−３５８８１６号公報
【特許文献２】特開２００２−４９４３９号公報
【発明の開示】
【発明が解決しようとする課題】
【０００５】
しかしながら、上記従来の技術には、以下の課題が残されている。
上記特許文献１の技術では、筐体全体がストレートタイプの直方体形状であって、液晶表示パネル側の筐体部と操作キー側の筐体部とが直線的かつ平面的に連結されているため、略平板状の導光板を採用することができるが、一部又は全体が湾曲又は屈曲した筐体であって、同一平面状に液晶表示パネル及び操作キーが配置されていない場合には適用が困難であった。
また、上記特許文献２では、液晶パネル側の導光板とキーボード側の導光板とを別々に備え、液晶パネル側の光放出部からの光をヒンジ部の受光部で受光してキーボード側ケースの導光板へ再び入射させているが、液晶パネル側とキーボード側とで２つの導光板を搭載しなければならないと共に、連結するヒンジ部に受光部を設けなければならず、部品点数及び製造コストの増大を招いてしまう。特に、ヒンジ部が受光部により複雑化すると共に、構造設計の自由度、薄型化及び軽量化が大きく制限されてしまう問題がある。
【０００６】
本発明は、前述の課題に鑑みてなされたもので、筐体の一部又は全体が湾曲又は屈曲した電子機器に搭載することで比較的簡便なかつ低コストな構成で画像表示パネルと操作キーとを両方照明でき、薄型化及び軽量化が可能な導光板及びこれを備えた電子機器を提供することを目的とする。
【課題を解決するための手段】
【０００７】
本発明は、前記課題を解決するために以下の構成を採用した。すなわち、本発明の導光板は、画像表示パネルが設けられたパネル側筐体部と操作キーを設けたキー側筐体部とが筐体連結部を介して一体とされ、これらの少なくとも一部が湾曲若しくは屈曲している又は段差部を有する電子機器に用いる導光板であって、導光した光を光路変換して主面から面状に出射し、前記画像表示パネルを照明するパネル用導光部と、導光した光を光路変換して主面から面状に出射し、前記操作キーを照明するキー用導光部と、前記パネル用導光部と前記キー用導光部とを連結して互いの間で光を導光可能で前記筐体連結部に配される連結導光部と、を有し、全体がフィルム状とされていることを特徴とする。
【０００８】
この導光板では、パネル用導光部とキー用導光部と連結導光部とを有し、全体がフィルム状とされているので、例えばパネル用導光部内を導光された光の一部を連結導光部を介してキー用導光部へと導光することで、画像表示パネルと操作キーとの両方を同時照明することができる。また、全体がフィルム状であって可撓性を有して柔軟であるので、湾曲した部分若しくは屈曲した部分又は段差形状の多様な形状及び形態の部分に破損せずに形状に沿って内蔵可能で、パネル用導光部とキー用導光部との間で導光を行うことが可能である。さらに、一枚のフィルム状導光板を内蔵するだけでよく、比較的簡便な構成ですみ、構造設計の自由度が高くなると共に小型化及び薄型化を図ることができる。
【０００９】
本発明の電子機器は、画像表示パネルが設けられたパネル側筐体部と操作キーを設けたキー側筐体部とが筐体連結部を介して一体とされ、これらの少なくとも一部が湾曲若しくは屈曲している又は段差部を有する電子機器であって、光源と、該光源からの光を入射させて導光する請求項１に記載の導光板と、を備えていることを特徴とする。
この電子機器では、上記本発明の導光板を備えているので、屈曲部、湾曲部又は段差部を有していても画像表示パネル及び操作キーの両方を一つの導光板で照明可能であると共に、薄型化及び軽量化を図ることが可能である。
【００１０】
また、本発明の電子機器は、前記連結導光部の両面のうち少なくとも一面に、連結部用反射シートが配設されていることを特徴とする。すなわち、この電子機器では、連結導光部の両面のうち少なくとも一面に連結部用反射シートが配設されているので、連結導光部から外部に漏れる一部の光を連結部用反射シートで反射して再び連結導光部へ戻すことで、さらに高い効率でパネル用導光部とキー用導光部との間で導光させることが可能になる。
【００１１】
また、本発明の電子機器は、前記光源が、前記パネル用導光部側に配置されていることを特徴とする。すなわち、この電子機器では、光源がパネル用導光部側に配置されているので、パネル用導光部側から光を入射して高い輝度が要求される画像表示パネルを最適に照明することができる。
【００１２】
また、本発明の電子機器は、前記画像表示パネルが、液晶表示パネルであることを特徴とする。すなわち、この電子機器では、液晶表示パネルを用いた液晶表示装置であるので、より薄型軽量化及び低コスト化を図ることができる。
【発明の効果】
【００１３】
本発明によれば、以下の効果を奏する。
すなわち、本発明に係る導光板によれば、パネル用導光部とキー用導光部と連結導光部とを有し、全体がフィルム状とされているので、湾曲した部分、屈曲した部分又は段差状の部分を有する筐体であっても破損せずに内蔵可能で、連結導光部を介してパネル用導光部とキー用導光部との間で導光を行って、画像表示パネルと操作キーとの両方を同時照明することができる。したがって、この導光板を備えた電子機器によれば、屈曲部、湾曲部又は段差部を有する様々な形態の筐体であっても照明ユニットが比較的簡便な構成ですみ、構造設計の自由度が高くなると共に小型化及び薄型化を図ることができる。特に、薄型化及び軽量化が強く要望されているストレート型携帯電話機などに好適である。
【発明を実施するための最良の形態】
【００１４】
以下、本発明に係る導光板及び電子機器の第１実施形態を、図１及び図２に基づいて説明する。なお、以下の説明に用いる各図面では、各部材を認識可能な大きさとするために縮尺を適宜変更している。
【００１５】
本実施形態の電子機器は、図１に示すように、液晶表示パネル（画像表示パネル）１が設けられたパネル側筐体部２と操作キー３を設けたキー側筐体部４とが筐体連結部５を介して一体とされ、これら筐体部の少なくとも一部が湾曲しているストレートタイプの携帯電話機であって、ＬＥＤ光源（光源）Ｌと、該ＬＥＤ光源Ｌからの光を入射させて導光する導光板６と、該導光板６を用い液晶表示パネル１の裏面側に配されてこれを照明する液晶バックライトユニット７と、キー側筐体部４に設けられ上記操作キー３を備えたスイッチモジュールであるキー部８と、を備えている。
【００１６】
この電子機器では、パネル側筐体部２が液晶表示パネル１側を凸面とした断面円弧状の湾曲形状を有し、屈曲した筐体連結部５で直線的かつ平面的な直方体形状のキー側筐体部４と一体に連結されている。
上記導光板６は、図１及び図２に示すように、液晶表示パネル１を照明するパネル用導光部６ａと、操作キーを照明するキー用導光部６ａと、パネル用導光部６ａとキー用導光部６ｂとを連結して互いの間で光を導光可能で筐体連結部５に配される連結導光部６ｃと、を有している。
【００１７】
また、この導光板６は、透光性の材料で構成され、その側端部から入射されたＬＥＤ光源Ｌからの光を導光すると共に光路変換し、その主面（本実施形態では上面）から照明対象物に対して面状の照明光を出射する可撓性を有した全体がフィルム状の導光板である。なお、この導光板６の厚さは、例えば１２５μｍ程度である。
さらに、導光板６は、パネル用導光部６ａの表面に断面三角形状のプリズムや凸状ドット等の微細光学形状６ｄが形成されている。また、キー用導光部６ｂにも、白色印刷ドット等の微細光学形状６ｄが表面に形成されている。なお、及び連結導光部６ｃにも必要に応じて表面に微細光学形状６ｄを施しても構わない。
【００１８】
また、導光板６は、例えば基材層（図示略）と、該基材層の上下面に成膜され光路変換を行う複数の微細光学形状６ｄが表面に形成された樹脂層（図示略）と、で構成されている。
上記基材層及び樹脂層は、例えば透明なポリカーボネイト樹脂やアクリル樹脂等で形成されている。基材層は、例えばロール成形方法などを用いて平坦なシート状にシート成形されている。また、樹脂層は、型を使い紫外光（ＵＶ光）で硬化する例えばアクリル系、ウレタン系、ウレタンアクリレート系、エポキシアクリレート系などの有機光反応効果樹脂の光硬化樹脂を用いて微細光学形状６ｄを賦形する紫外線（ＵＶ）硬化樹脂成形によって作製されている。
なお、上記成形で大判に作製されたものを、プレス切断やカッター切断することで、所定の形状の導光板６を得ている。
【００１９】
上記液晶用バックライトユニット７は、ＬＥＤ光源（光源）Ｌと、該ＬＥＤ光源Ｌからの光を入射して導光する導光板６のパネル用導光部６ａと、該パネル用導光部６ａの上面に積層された拡散シート９、第１プリズムシート１０Ａ及び第２プリズムシート１０Ｂと、パネル用導光部６ａの下面に設置された反射シート１１と、を備えている。
【００２０】
上記拡散シート９は、例えば、アクリル樹脂やポリカーボネイト樹脂などの透明樹脂にシリカ粒子などを分散させたシートである。
【００２１】
上記第１プリズムシート１０Ａは、拡散シート９上に配され、上記第２プリズムシート１０Ｂは、第１プリズムシート１０Ａ上に配されている。第１プリズムシート１０Ａ及び第２プリズムシート１０Ｂは、拡散シート９からの光を上面側に集光するための透明シート状の部材であり、平行な複数の稜線を有するプリズム部を上面側に有している。また、第１プリズムシート１０Ａは、ＬＥＤ光源Ｌの光軸に対して、プリズム部の稜線がねじれの位置に設定され、特に、上方への高い指向性が得られる方向として、ＬＥＤ光源Ｌの光軸に直交する方向と平行に設定される。また、第２プリズムシート１０Ｂは、ＬＥＤ光源Ｌの光軸に対して、プリズム部の稜線が平行に設定されている。すなわち、第１プリズムシート１０Ａと第２プリズムシート１０Ｂとは、互いのプリズム部の稜線がねじれの位置に配され、平面視で互いに稜線が直交している。なお、拡散シート９、プリズムシート１０Ａ，１０Ｂは、必要に応じてキー用導光部６ｂに設けても構わない。この場合、別体でもパネル用導光部６ａに設けられた拡散シート９、プリズムシート１０Ａ，１０Ｂと一体化させても構わない。
【００２２】
上記ＬＥＤ光源Ｌは、導光板６のパネル用導光部６ａ側の端部に複数配置され、光源用の実装基板（図示略）に実装された白色ＬＥＤである。この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。
【００２３】
上記液晶表示パネル１は、透過型又は半透過型の液晶表示パネルが採用される。例えば、半透過型の液晶表示パネル１の場合、透明電極、配向膜及び偏光板をそれぞれ有する上基板と下基板との間隙にＴＮ液晶やＳＴＮ液晶等の液晶をシール材で封止したパネル本体と、その下面側に光透過性と光反射性の両機能を持った半透過反射板と、を備えたものである。
また、この液晶表示パネル１は、パネル側筐体部２の形状に沿って湾曲している。
【００２４】
上記連結導光部６ｃの液晶表示パネル１側の片面には、連結部用反射シート１２が配設されている。また、連結導光部６ｃのもう一方の片面には、反射シート１１が筐体連結部５まで延長された延長反射シート部１１ａが、連結部反射シートとして配されている。
上記反射シート１１及び連結部用反射シート１２は、光反射機能及び可撓性を有する金属薄板、フィルム、箔等であって、本実施形態では銀蒸着膜を設けたフィルムが採用されている。なお、上記銀蒸着膜の代わりに、アルミ金属蒸着膜などを採用しても構わない。
【００２５】
上記キー部８は、少なくとも一部が透過又は半透明の複数の操作キー３と、これら操作キー３の下部に設置され操作キー３に対応した凸部を下面に有するキーシート１３と、該キーシート１３の下方かつキー用導光部６ｂの下面に設置されたスイッチング機構１４と、を有している。
【００２６】
上記操作キー３は、透過又は半透明の樹脂で形成されたキーであって、電話番号等を入力するための番号、文字又は記号が表示され、複数でキートップ１５を構成している。
上記スイッチング機構１４は、例えば操作キー３及びキー用導光部６ｂの下方に配されたスイッチ基板１６と、この上に設置されたタクトスイッチ１７とで構成され、操作キー３が押圧された際にキーシート１３の凸部及び可撓性のキー用導光部６ｂを介して対応するタクトスイッチ１７が押されてスイッチ操作可能とされている。
【００２７】
このように本実施形態の導光板６では、パネル用導光部６ａとキー用導光部６ｂと連結導光部６ｃとを有し、全体がフィルム状とされているので、例えばパネル用導光部６ａ内を導光された光の一部を連結導光部６ｃを介してキー用導光部６ｂへと導光することで、液晶表示パネル１と操作キー３との両方を同時照明することができる。また、全体がフィルム状であって可撓性を有して柔軟であるので、湾曲又は屈曲した部分に破損せずに形状に沿って内蔵可能で、パネル用導光部６ａとキー用導光部６ｂとの間で導光を行うことが可能である。
【００２８】
さらに、一枚のフィルム状導光板６を内蔵するだけでよく、比較的簡便な構成ですみ、構造設計の自由度が高くなると共に小型化及び薄型化を図ることができる。
また、連結導光部６ｃの両面に連結部用反射シート１２及び延長反射シート部１１ａが配設されているので、連結導光部６ｃから外部に漏れる一部の光を連結部用反射シート１２及び延長反射シート部１１ａで反射して再び連結導光部６ｃへ戻すことで、さらに高い効率でパネル用導光部６ａとキー用導光部６ｂとの間で導光させることが可能になる。
また、この電子機器では、ＬＥＤ光源Ｌがパネル用導光部６ａ側に配置されているので、パネル用導光部６ａ側から光を入射して高い輝度が要求される液晶表示パネル１を最適に照明することができる。
【００２９】
したがって、この電子機器では、筐体が湾曲部又は屈曲部を有していても液晶表示パネル１及び操作キー３の両方を一つの導光板６で照明可能であると共に、薄型化及び軽量化を図ることが可能である。
【００３０】
次に、本発明に係る導光板及び電子機器の第２から第７実施形態について、図３から図８を参照して以下に説明する。なお、以下の各実施形態の説明において、上記実施形態において説明した同一の構成要素には同一の符号を付し、その説明は省略する。
【００３１】
第２実施形態と第１実施形態との異なる点は、第１実施形態では、パネル側筐体部２が液晶表示パネル１側を凸面とした断面円弧状の湾曲形状を有しているのに対し、第２実施形態の電子機器では、図３に示すように、パネル側筐体部２２が液晶表示パネル１側を凹面とした断面円弧状の湾曲形状を有している点である。したがって、液晶表示パネル１側を凹面とした湾曲形状のパネル側筐体部２２でも、フィルム状の導光板６を容易に配設可能で、パネル用導光部６ａとキー用導光部６ｂとの間で良好に導光させて液晶表示パネル１と操作キー３とを同時に照明可能である。
【００３２】
第３実施形態と第１実施形態との異なる点は、第１実施形態では、パネル側筐体部２が液晶表示パネル１側を凸面とした断面円弧状の湾曲形状を有しているのに対し、第３実施形態の電子機器では、図４に示すように、キー側筐体部３４が操作キー３側を凸面とした断面円弧状の湾曲形状を有し、屈曲した筐体連結部３５で直線的かつ平面的な直方体形状のパネル側筐体部３２と一体に連結されている点である。
【００３３】
したがって、操作キー３側を凸面とした湾曲形状のキー側筐体部３４でも、フィルム状の導光板６を容易に配設可能で、パネル用導光部６ａとキー用導光部６ｂとの間で良好に導光させて液晶表示パネル１と操作キー３とを同時に照明可能である。なお、他の例として、操作キー３側を凹面とした湾曲形状のキー側筐体部を有する電子機器に適用しても構わない。
【００３４】
第４実施形態と第１実施形態との異なる点は、第１実施形態では、パネル側筐体部２が液晶表示パネル１側を凸面とした断面円弧状の湾曲形状を有しているのに対し、第４実施形態の電子機器では、図５に示すように、パネル側筐体部４２及びキー側筐体部４４が液晶表示パネル１側及び操作キー３側を凸面とした断面円弧状の連続した湾曲形状を有している点である。
【００３５】
したがって、全体が湾曲したパネル側筐体部４２及びキー側筐体部４４でも、フィルム状の導光板６を容易に配設可能で、パネル用導光部６ａとキー用導光部６ｂとの間で良好に導光させて液晶表示パネル１と操作キー３とを同時に照明可能である。なお、他の例として、液晶表示パネル１側及び操作キー３側を凹面とした連続した湾曲形状のパネル側筐体部及びキー側筐体部を有する電子機器に適用しても構わない。
【００３６】
第５実施形態と第４実施形態との異なる点は、第４実施形態では、キー側筐体部４４及びパネル側筐体部４２が液晶表示パネル１側及び操作キー３側を凸面とした断面円弧状の連続した湾曲形状を有しているのに対し、第５実施形態の電子機器では、図６に示すように、パネル側筐体部５２が液晶表示パネル１側を凹面とした断面円弧状の湾曲形状を有し、キー側筐体部５４が操作キー３側を凸面とした断面円弧状の湾曲形状を有している点である。
【００３７】
したがって、全体が断面Ｓ字状に湾曲した筐体でも、フィルム状の導光板６を容易に配設可能で、パネル用導光部６ａとキー用導光部６ｂとの間で良好に導光させて液晶表示パネル１と操作キー３とを同時に照明可能である。なお、他の例として、パネル側筐体部が液晶表示パネル１側を凸面とした断面円弧状の湾曲形状を有し、キー側筐体部が操作キー３側を凹面とした断面円弧状の湾曲形状を有した全体が断面Ｓ字状の電子機器に適用しても構わない。
【００３８】
第６実施形態と第４実施形態との異なる点は、第４実施形態では、キー側筐体部４４及びパネル側筐体部４２が液晶表示パネル１側及び操作キー３側を凸面とした断面円弧状の連続した湾曲形状を有しているのに対し、第６実施形態の電子機器では、図７に示すように、直線的かつ平面的な直方体形状であるパネル側筐体部６２とキー側筐体部６４とを筐体連結部６５で操作キー３側に一定角度で屈曲させている点である。
【００３９】
したがって、全体が断面くの字状に屈曲した筐体でも、フィルム状の導光板６を容易に配設可能で、パネル用導光部６ａとキー用導光部６ｂとの間で良好に導光させて液晶表示パネル１と操作キー３とを同時に照明可能である。なお、他の例として、パネル側筐体部とキー側筐体部とを筐体連結部で操作キー３の反対側に一定角度で屈曲させ全体として断面くの字状とした電子機器に適用しても構わない。
【００４０】
第７実施形態と第６実施形態との異なる点は、第６実施形態では、パネル側筐体部６２及びキー側筐体部６４が全体として断面くの字に屈曲しているのに対し、第７実施形態の電子機器では、図８に示すように、全体として直方体形状であって、キー側筐体部７４にキーカバー７４ａがカバーヒンジ部７４ｂを介して開閉可能に取り付けられていると共に、パネル側筐体部７２の液晶表面パネル１側表面とキー側筐体部７４の操作キー３側表面とが筐体連結部７５の段差を介して連結されて一体になっている点である。
【００４１】
すなわち、第７実施形態では、キー側筐体部７４が、キーカバー７４ａを閉じた状態でキーカバー７４ａ表面と液晶表示パネル１表面とが面一になるように、キーカバー７４ａの厚さだけパネル側筐体部７２よりも薄くされて筐体連結部７５が段差部となっている。このため、筐体連結部７５内では、連結導光部６ｃが断面クランク状に屈曲されて収納されている。したがって、段差部状の筐体連結部７５を介して一体となっているパネル側筐体部７２及びキー側筐体部７４でも、フィルム状の導光板６を筐体連結部７５内で屈曲させて容易に配設可能で、パネル用導光部６ａとキー用導光部６ｂとの間で良好に導光させて液晶表示パネル１と操作キー３とを同時に照明可能である。
【００４２】
なお、本発明は上記各実施形態に限定されるものではなく、本発明の趣旨を逸脱しない範囲において種々の変更を加えることができる。
【００４３】
例えば、上記各実施形態では、筐体が長さ方向に湾曲若しくは屈曲している又は段差形状を有している電子機器であるが、他の方向に筐体が湾曲若しくは屈曲している又は段差形状を有しているものに適用しても構わない。例えば、他の例として、長さ方向に直交する横幅方向に断面円弧状に湾曲した筐体の場合、図９に示すように、導光板６を横幅方向に断面円弧状に湾曲させて実装させても構わない。
【００４４】
また、上述したように、ＬＥＤ光源Ｌがパネル用導光部６ａ側に配置されていることが好ましいが、操作キー３側の輝度を高めるためにキー用導光部６ｂ側にＬＥＤ光源Ｌを配置しても構わず、またパネル用導光部６ａ側及びキー用導光部６ｂ側の両方に配置しても構わない。
また、上述したように、連結部用反射シート１２及び延長反射シート部１１ａにより、連結導光部６ｃの両面に反射シートを設置することが好ましいが、いずれか一方の面に配置しても導光効率の向上効果を得ることができる。なお、十分な導光性が得られれば、連結部用反射シート１２及び延長反射シート部１１ａの両方を設けなくてもよい。
【００４５】
また、上記各実施形態では、拡散シート９を用いているが、拡散シート９を省略したバックライトユニットとしても構わない。また、２枚のプリズムシートを用いているが、１枚のプリズムシートを採用したバックライトユニットとしても構わない。
また、上記各実施形態では、本発明を携帯電話機に適用したが、他の電子機器に採用しても構わない。例えば、ＰＤＡ、モバイルタイプＰＣ（パーソナルコンピュータ）等の各種電子機器に適用可能である。
【００４６】
また、上記各実施形態では、画像表示パネルとして液晶表示パネル１を採用しているが、他の画像表示パネルを用いても構わない。例えば、電子ペーパーなどの画像表示パネルを採用しても良い。この場合、電子ペーパー本体の表面側にフロントライトユニットの一部として本発明の導光板におけるパネル用導光部が設置される。
【図面の簡単な説明】
【００４７】
【図１】本発明に係る導光板及び電子機器の第１実施形態において、携帯電話機（電子機器）を示す概略的な断面図である。
【図２】第１実施形態において、導光板を示す斜視図及び側面図である。
【図３】本発明に係る導光板及び電子機器の第２実施形態において、携帯電話機（電子機器）を示す概略的な断面図である。
【図４】本発明に係る導光板及び電子機器の第３実施形態において、携帯電話機（電子機器）を示す概略的な断面図である。
【図５】本発明に係る導光板及び電子機器の第４実施形態において、携帯電話機（電子機器）を示す概略的な断面図である。
【図６】本発明に係る導光板及び電子機器の第５実施形態において、携帯電話機（電子機器）を示す概略的な断面図である。
【図７】本発明に係る導光板及び電子機器の第６実施形態において、携帯電話機（電子機器）を示す概略的な断面図である。
【図８】本発明に係る導光板及び電子機器の第７実施形態において、携帯電話機（電子機器）を示す概略的な断面図である。
【図９】本発明に係る導光板及び電子機器の他の例において、導光板を示す斜視図である。
【符号の説明】
【００４８】
１…液晶表示パネル（画像表示パネル）、２，２２，３２，４２，５２，６２，７２…パネル側筐体部、３…操作キー、４，２４，３４，４４，５４，６４，７４…キー側筐体部、５，２５，３５，４５，５５，６５，７５…筐体連結部、６…導光板、６ａ…パネル用導光部、６ｂ…キー用導光部、６ｃ…連結導光部、７…液晶バックライトユニット、８…キー部、９…拡散シート、１０Ａ…第１プリズムシート、１０Ｂ…第２プリズムシート、１１…反射シート、１１ａ…延長反射シート部、１２…連結部用反射シート、１４…スイッチング機構、１７…タクトスイッチ、Ｌ…ＬＥＤ光源（光源）
【図１】
2009059546.tif 000003
【図２】
2009059546.tif 000004
【図３】
2009059546.tif 000005
【図４】
2009059546.tif 000006
【図５】
2009059546.tif 000007
【図６】
2009059546.tif 000008
【図７】
2009059546.tif 000009
【図８】
2009059546.tif 000010
【図９】
2009059546.tif 000011